【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
商品の販売取引に関する商品データを入力する入力手段と、
１商品販売取引としてデータの登録終了を宣言する登録締め手段と、
前記登録締め手段により登録終了が宣言された１商品販売取引の登録商品明細データと決済詳細データとを含むレシートデータを生成するレシートデータ生成手段と、
前記レシートデータを記憶するレシートデータ記憶手段と、
外部の電子レシート管理装置のＵＲＬを２次元コード化した２次元コードレシートデータを生成する２次元コードレシートデータ生成手段と、
前記２次元コードレシートデータ生成手段が生成した前記２次元コードレシートデータを印字すると決定する決定手段と、
前記２次元コードレシートデータを印字すると前記決定手段により決定されないと、前記レシートデータ生成手段により生成された前記レシートデータに基づいて前記登録商品明細データおよび前記決済詳細データをプリンタによりレシート用紙に印字するようにプリンタを制御し、前記２次元コードレシートデータを印字すると前記決定手段により決定されると、前記レシートデータに基づいて前記決済詳細データを前記レシート用紙に印字するとともに、前記２次元コードレシートデータ生成手段により生成された前記２次元コードレシートデータを前記登録商品明細データの印字に代えて前記レシート用紙に印字するように前記プリンタを制御する制御手段と、
前記２次元コードレシートデータを印字すると前記決定手段により決定された際に、前記レシートデータ生成手段により生成されたレシートデータを前記電子レシート管理装置へ送信するレシートデータ送信手段と、
を具備した商品販売データ処理装置。
【請求項２】
前記決定手段は、１商品販売取引における販売点数が設定値を超えると、前記２次元コードレシートデータを印字すると決定する、
請求項１に記載の商品販売データ処理装置。
【請求項３】
前記決定手段は、タッチパネルに表示された発行ボタンの操作入力があると、前記２次元コードレシートデータを印字すると決定する、
請求項１または２に記載の商品販売データ処理装置。
【請求項４】
前記レシートデータ生成手段は、１商品販売取引に固有のレシートコードをさらに含むレシートデータを生成する、
請求項１−３のいずれか一項に記載の商品販売データ処理装置。
【請求項５】
通信ネットワークを介して商品販売データ処理装置と電子レシート管理装置とが接続可能となる電子レシート管理システムにおいて、
前記商品販売データ処理装置は、
商品の販売取引に関する商品データを入力する入力手段と、
１商品販売取引としてデータの登録終了を宣言する登録締め手段と、
前記登録締め手段により登録終了が宣言された１商品販売取引の登録商品明細データと決済詳細データとを含むレシートデータを生成するレシートデータ生成手段と、
前記レシートデータを記憶するレシートデータ記憶手段と、
外部の電子レシート管理装置のＵＲＬを２次元コード化した２次元コードレシートデータを生成する２次元コードレシートデータ生成手段と、
前記２次元コードレシートデータ生成手段が生成した前記２次元コードレシートデータを印字すると決定する決定手段と、
前記２次元コードレシートデータを印字すると前記決定手段により決定されないと、前記レシートデータ生成手段により生成された前記レシートデータに基づいて前記登録商品明細データおよび前記決済詳細データをプリンタによりレシート用紙に印字するようにプリンタを制御し、前記２次元コードレシートデータを印字すると前記決定手段により決定されると、前記レシートデータに基づいて前記決済詳細データを前記レシート用紙に印字するとともに、前記２次元コードレシートデータ生成手段により生成された前記２次元コードレシートデータを前記登録商品明細データの印字に代えて前記レシート用紙に印字するように前記プリンタを制御する制御手段と、
前記２次元コードレシートデータを印字すると前記決定手段により決定された際に、前記レシートデータ生成手段により生成されたレシートデータを前記電子レシート管理装置へ送信するレシートデータ送信手段と、
を備え、
前記電子レシート管理装置は、
前記通信ネットワークを介して前記商品販売データ処理装置から受信するレシートデータを蓄積保存するレシートデータ保存手段と、
前記２次元コードを読み取った携帯電話からレシートコードが入力されると、その入力されたレシートコードによって特定されるレシートデータを前記レシートデータ保存手段によって保存されているレシートデータの中から抽出するレシートデータ抽出手段と、
前記レシートデータ抽出手段により抽出されたレシートデータに基づいて電子レシートのデータを編集する電子レシート編集手段と、
前記電子レシート編集手段により編集された前記電子レシートのデータを、前記通信ネットワークを介し前記携帯電話へ送信する電子レシート送信手段と、
を備える電子レシート管理システム。
【請求項６】
商品の販売取引に関する商品データを入力する入力手段と、１商品販売取引としてデータの登録終了を宣言する登録締め手段と、を備えた商品販売データ処理装置を制御するコンピュータを、
前記登録締め手段により登録終了が宣言された１商品販売取引の登録商品明細データと決済詳細データとを含むレシートデータを生成するレシートデータ生成手段と、
前記レシートデータを記憶するレシートデータ記憶手段と、
外部の電子レシート管理装置のＵＲＬを２次元コード化した２次元コードレシートデータを生成する２次元コードレシートデータ生成手段と、
前記２次元コードレシートデータ生成手段が生成した前記２次元コードレシートデータを印字すると決定する決定手段と、
前記２次元コードレシートデータを印字すると前記決定手段により決定されないと、前記レシートデータ生成手段により生成された前記レシートデータに基づいて前記登録商品明細データおよび前記決済詳細データをプリンタによりレシート用紙に印字するようにプリンタを制御し、前記２次元コードレシートデータを印字すると前記決定手段により決定されると、前記レシートデータに基づいて前記決済詳細データを前記レシート用紙に印字するとともに、前記２次元コードレシートデータ生成手段により生成された前記２次元コードレシートデータを前記登録商品明細データの印字に代えて前記レシート用紙に印字するように前記プリンタを制御する制御手段と、
前記２次元コードレシートデータを印字すると前記決定手段により決定された際に、前記レシートデータ生成手段により生成されたレシートデータを前記電子レシート管理装置へ送信するように通信デバイスを制御する送信制御手段、
として機能させる制御プログラム。
【手続補正２】
【補正対象書類名】明細書
【補正対象項目名】００１０
【補正方法】変更
【補正の内容】
【００１０】
本発明の実施形態は、商品の販売取引に関する商品データを入力する入力手段と、１商品販売取引としてデータの登録終了を宣言する登録締め手段と、登録締め手段により登録終了が宣言された１商品販売取引の登録商品明細データと決済詳細データとを含むレシートデータを生成するレシートデータ生成手段と、レシートデータを記憶するレシートデータ記憶手段と、外部の電子レシート管理装置のＵＲＬを２次元コード化した２次元コードレシートデータを生成する２次元コードレシートデータ生成手段と、２次元コードレシートデータ生成手段が生成した２次元コードレシートデータを印字すると決定する決定手段と、２次元コードレシートデータを印字すると決定手段により決定されないと、レシートデータ生成手段により生成されたレシートデータに基づいて登録商品明細データおよび決済詳細データをプリンタによりレシート用紙に印字するようにプリンタを制御し、２次元コードレシートデータを印字すると決定手段により決定されると、レシートデータに基づいて決済詳細データをレシート用紙に印字するとともに、２次元コードレシートデータ生成手段により生成された２次元コードレシートデータを登録商品明細データの印字に代えてレシート用紙に印字するようにプリンタを制御する制御手段と、２次元コードレシートデータを印字すると決定手段により決定された際に、レシートデータ生成手段により生成されたレシートデータを電子レシート管理装置へ送信するレシートデータ送信手段とを備える。